(57)【要約】 【課題】筒状タイプのピーマンの芯抜き器において、芯（ヘタ及び種）をピーマン内に残すことなく確実に引き抜き除去できるようにした器具を提供する。【解決手段】下方が径小の適宜径の傾斜筒状の本体部１１の下縁にギザ刃１２を形成した芯抜き部１と、芯抜き部１を保持する把持部２を備えた芯抜き器において、本体部１１の内周面に適宜なギザ刃の先端から上方が中心側に突出する傾斜三角突刃１３を設け、ピーマンに対する切込に際し、抵抗が無く、引き抜きに際して芯が引っ掛かるようにした。【選択図】図３
2019069291.tif 000002
【特許請求の範囲】
【請求項１】
下方が径小の適宜径の傾斜筒状の本体部の下縁にギザ刃を形成した芯抜き部と、芯抜き部を保持する把持部を備えた芯抜き器において、本体部の内周面に適宜なギザ刃の先端から上方が中心側に突出する傾斜三角突刃を適宜間隔で設けたことを特徴とするピーマン等の芯抜き器。
【請求項２】
傾斜三角突刃の上方部分を受け面部に形成してなる請求項１記載のピーマン等の芯抜き器。
【請求項３】
ギザ刃を外刃に形成すると共に、受け面部に連続する段差受け面と、段差受け面の内縁からギザ刃先端まで傾斜面とした浅突部を設けてなる請求項２記載のピーマン等の芯抜き器。
【請求項４】
把持部を、本体部の頂部外周に鍔状に形成した請求項１乃至３記載の何れかのピーマン等の芯抜き器。
【発明の詳細な説明】
【技術分野】
【０００１】
本発明は、パプリカ、ピーマン等の野菜の芯（ヘタ及び種）を抜き取る器具に関するものである。
【背景技術】
【０００２】
ピーマンの芯抜きの器具は、ピーマンやパプリカのヘタ部分から筒状形態の部材を差し入れ、芯部分（ヘタ及び種部分）を果肉と切断分離し、切断箇所から芯部分を引き抜くもので、具体的な器具の例として、特許文献１（登録実用新案３１２３５３０号公報）には把手を備えたベース板から、円周上に配置され三角刃体を垂設した器具が開示されている。また特許文献２（特開２００８−９３４０６号公報）には、適宜な把手部の下方に筒状体を設け、筒状体の下縁にギザ刃及び内方への突出部を形成した器具が開示されている。
【先行技術文献】
【特許文献】
【０００３】
【特許文献１】登録実用新案３１２３５３０号公報。
【特許文献２】特開２００８−９３４０６号公報。
【発明の概要】
【発明が解決しようとする課題】
【０００４】
ピーマンやパプリカの芯抜きに際して、特許文献１記載の器具のように三角刃体でヘタ周囲を切断したとしても、器具の切断後の芯部分の保持能力が低いので、芯の引き抜きに際してそのまま果肉の中に芯部分が残存したり、引き抜いたとしても直ぐに芯部分が器具から落下してしまう。
【０００５】
前記の対応として特許文献２に示されているに、切断下縁に突出部を設けておくと、確かに前記突出部に切断した芯部分を保持することが可能であるが、逆に切断時に当該突出部が切断抵抗となってしまい、反って使い難い器具となってしまう。
【０００６】
そこで本発明は、芯部分の切断機能を低下させずに、切断後の芯部分の保持機能を高めた新規なピーマン等の芯抜き器を提案したものである。
【課題を解決するための手段】
【０００７】
本発明の請求項１記載に係るピーマン等の芯抜き器は、下方が径小の適宜径の傾斜筒状の本体部の下縁にギザ刃を形成した芯抜き部と、芯抜き部を保持する把持部を備えた芯抜き器において、本体部の内周面に適宜なギザ刃の先端から上方が中心側に突出する傾斜三角突刃を設けたことを特徴とするものである。
【０００８】
而して芯抜き部をピーマン等（ピーマン用とパプリカ用は本体部の径が相違する）の上方からヘタに押し当てて回転させ、芯抜き部がヘタ部周囲を切断してピーマン内に侵入させた後に芯抜き部を引き抜くと、ピーマンの芯（ヘタ及び種）は芯抜き部の筒状の本体部に入り込んだ状態で、且つ傾斜三角突刃の上端に引っ掛かり、本体部からの脱落が防止された状態でピーマン果肉から分離される。
【０００９】
また本発明の請求項２記載に係るピーマン等の芯抜き器は、傾斜三角突刃の上方部分を受け面部に形成してなるものであり、更に請求項３記載に係るピーマン等の芯抜き器は、ギザ刃を外刃に形成すると共に、受け面部に連続する段差受け面と、段差受け面の内縁からギザ刃先端まで傾斜面とした浅突部を設けてなるもので、本体部内でのピーマンの芯の保持を確実なものとする。
【００１０】
また本発明の請求項４記載に係るピーマン等の芯抜き器は、把持部を、芯抜き部の頂部外周に鍔状に形成してなり、鍔状の外周を手で保持して器具を使用するものである。
【発明の効果】
【００１１】
本発明のピーマンなどの芯抜き器の構成は上記のとおり芯抜き部の筒状の本体部内周面に傾斜三角突刃を設けたもので、ヘタ周囲の切断時の抵抗とならずに切断した芯の本体内保持を確実にして、使い易い器具としたものである。
【図面の簡単な説明】
【００１２】
【図１】本発明の実施形態の下方斜視図。
【図２】同平面図。
【図３】同断面図。
【図４】同使用状態の説明図。
【発明を実施するための形態】
【００１３】
次に本発明の実施形態について説明する。実施形態に示した器具は、芯抜き部１と把持部２で構成されると共に、両部は一体成型で形成されるものである。
【００１４】
芯抜き部１は、下方が径小（ピーマン用はφ２６ｍｍ、パプリカ用はφ３６ｍｍ）の傾斜（４°）筒状の本体部１１の下縁にギザ刃１２を形成して、本体部１１の内周面に傾斜三角突刃１３と、浅突部１４を設けたものである。
【００１５】
ギザ刃１２は、本体部１１の下縁全周に形成した三角波刃の外刃としたものである。傾斜三角突刃１３は、本体部１１の内周面に４カ所（３〜５箇所程度）に設けたもので、ギザ刃１２の先端と一致する先端から、上方に行くほど中心側へ突出し、上端を本体部１１の周面から直交方向に突出する受け面部１３１に形成したものである。
【００１６】
浅突部１４は、隣接する傾斜三角突刃１３に至る直前まで形成したもので、前記受け面部１３１に連続する段差受け面１４１と、段差受け面１４１の内縁（突出縁）からギザ刃１２先端まで傾斜面１４２としたものである。
【００１７】
把持部２は、筒状の本体部１１の頂部外周に鍔状（花びら状）に形成したもので、握持し易いように、外縁部分は垂下状に形成してなるものである。
【００１８】
而して把持部２を掌で包むように保持し、本体部１１の下縁のギザ刃１２をピーマンＡの上方からヘタの周りに押し当てて回転させながら下圧すると、本体部１１がピーマンＡの内部に侵入し、ピーマンの芯（ヘタ及び種）Ｂを本体部１１内に取り込む。
【００１９】
次に器具をピーマンから引き抜くと、ピーマンの芯Ｂは、本体部内周面の傾斜三角突刃１３の受け面部１３１及び浅突部１４の段差受け面１４１に引っ掛かって本体部１１から脱落することなくピーマンＡから引き抜かれることになる。
【００２０】
ピーマンの芯Ｂを本体部１１に保持した状態で、器具を上下逆転させて芯Ｂに対して慣性力を与える打撃を加えることで、本体部１１の大径端から芯Ｂが脱出し、次のピーマンに対して使用することになる。勿論芯Ｂを器具に保持させたまま次のピーマンの芯抜きも可能であり、その場合は保持されている芯Ｂは次のピーマンの芯Ｂで押し出されることになる。
【符号の説明】
【００２１】
１      芯抜き部
１１    本体部
１２    ギザ刃
１３    傾斜三角突刃
１３１    受け面部
１４    浅突部
１４１    段差受け面
１４２    傾斜面
２      把持部
【図１】
2019069291.tif 000003
【図２】
2019069291.tif 000004
【図３】
2019069291.tif 000005
【図４】
2019069291.tif 000006